(57)【要約】【課題】照明傘の表面に、光透過不能な皺と、光透過可能な皺と、が交錯に分布しており、光線が光透過可能な溝を透過すると、光透過不能な皺との対比が著しくなり、ひいては照明傘の表面の模様が良く表現されるようになる照明傘を提供すること。【解決手段】光線を透過可能な底層と、前記底層の一面に形成された複数の反射用皺と、前記反射用皺同士の間に形成された複数の溝と、を含む照明傘であって、前記溝の底面は前記底層の表面よりも深いことを特徴とする照明傘。【選択図】図１
0003137210.tif 000002
【実用新案登録請求の範囲】
【請求項１】
光線を透過可能な底層と、
前記底層の一面に形成された複数の反射用皺と、
前記反射用皺同士の間に形成された複数の溝と、を含む照明傘であって、
前記溝の底面は前記底層の表面よりも深いことを特徴とする、
照明傘。
【請求項２】
前記複数の反射用皺は模様を構成することを特徴とする、請求項１に記載の照明傘。
【請求項３】
前記溝の形成密度は、１ｍｍごとに５本〜８本を有することを特徴とする、請求項１に記載の照明傘。
【請求項４】
前記溝の内面は、第一側と、第二側とを有し、前記第一側の法線方向が前記第二側の法線方向と平行していることを特徴とする、請求項１に記載の照明傘。
【請求項５】
前記溝の内面は、第一側と、第二側とを有し、前記第一側の法線方向が前記第二側の法線方向と平行していないことを特徴とする、請求項１に記載の照明傘。
【請求項６】
前記溝の内面は、第一側と、第二側とを有し、前記第一側には段差構造が形成してあることを特徴とする、請求項１に記載の照明傘。
【請求項７】
前記反射用皺は金属製であることを特徴とする、請求項１に記載の照明傘。
【考案の詳細な説明】
【技術分野】
【０００１】
本考案は、照明器材とする傘（照明傘）に係り、特に、光線を透過可能な溝および反射用皺を有する傘に関するものである。
【背景技術】
【０００２】
従来の照明傘は、主に、ガラスまたは樹脂で作製され、光線を透過可能なものである。照明傘に被られる電灯に電力を供給すると、光線が照明傘を透過して外部に出射する。
【０００３】
従来の照明傘の表面は平滑であるので、光線が照明傘を透過して外部に出射し、又は外部の光線が照明傘に照射する場合には、照明傘の表面には光線の変化が発生しなく、照明傘の表面に模様を印刷してあっても、前記模様は外部の光線または電灯の光線によって視覚上の変化を発生することがない。
【考案の開示】
【考案が解決しようとする課題】
【０００４】
本考案の主な目的は、照明傘の表面に、光透過不能な皺と、光透過可能な皺と、が交錯に分布しており、光線が光透過可能な溝を透過すると、光透過不能な皺との対比が著しくなり、ひいては照明傘の表面の模様が良く表現されるようになる照明傘を提供することにある。
【課題を解決するための手段】
【０００５】
上記目的を達成するためになされた本願の考案は、光線を透過可能な底層と、前記底層の一面に形成された複数の反射用皺と、前記反射用皺同士の間に形成された複数の溝と、を含む照明傘であって、前記溝の底面は前記底層の表面よりも深いことを特徴とする照明傘であることを要旨としている。
【０００６】
本願の考案では、前記複数の反射用皺は模様を構成することを特徴とする請求項１に記載の照明傘であることを要旨としている。
【０００７】
本願の考案では、前記溝の形成密度は、１ｍｍごとに５本〜８本を有することを特徴とする請求項１に記載の照明傘であることを要旨としている。
【０００８】
本願の考案では、前記溝の内面は、第一側と、第二側とを有し、前記第一側の法線方向が前記第二側の法線方向と平行していることを特徴とする請求項１に記載の照明傘であることを要旨としている。
【０００９】
本願の考案では、前記溝の内面は、第一側と、第二側とを有し、前記第一側の法線方向が前記第二側の法線方向と平行していないことを特徴とする請求項１に記載の照明傘であることを要旨としている。
【００１０】
本願の考案では、前記溝の内面は、第一側と、第二側とを有し、前記第一側には段差構造が形成してあることを特徴とする請求項１に記載の照明傘であることを要旨としている。
【００１１】
本願の考案では、前記反射用皺は金属製であることを特徴とする請求項１に記載の照明傘であることを要旨としている。
【考案の効果】
【００１２】
本考案の照明傘によれば、照明傘の表面に、光透過不能な皺と、光透過可能な皺と、が交錯に分布しており、光線が光透過可能な溝を透過すると、光透過不能な皺との対比が著しくなり、ひいては照明傘の表面の模様が良く表現されるようになる効果を有する。
【考案を実施するための最良の形態】
【００１３】
以下、添付図面を参照して本考案の好適な実施の形態を詳細に説明する。
【実施例】
【００１４】
まず、図１を参照する。本考案の照明傘１０は、光線を透過可能な底層１２を有し、前記底層１２の一面には光反射構造２０が形成し又は設けてある。
【００１５】
また、図２に示すように、前記光反射構造２０は複数の反射用皺２２から構成される。隣接する反射用皺２２の間には溝３０が形成してあり、前記溝３０の底面は前記底層１２の表面よりも深く、且つ前記溝３０の形成密度は、１ｍｍごとに５本〜８本を有する。
【００１６】
また、図３を参照する。前記溝３０の内面は、互いに対向する、第一側３２と、第二側３４とを有し、前記第一側３２の法線方向Ｎ１が前記第二側３４の法線方向Ｎ２と平行していてもいい。
【００１７】
また、図４を参照する。前記溝３０の内面は、互いに対向する、第一側３２と、第二側３４とを有し、前記第一側３２の法線方向Ｎ１が前記第二側３４の法線方向Ｎ２と平行していなくてもいい。
【００１８】
また、図４を参照する。前記溝３０の内面は、第一側３２と、第二側３４とを有し、前記第一側３２には段差構造が形成してあり、なお、前記第二側３４が平面である。
【００１９】
上記の説明から明らかなように、照明傘１０の内部の電灯に電力を入れると、一部の光線が前記底層１２を透過して溝３０を経由して外部に出射し、また、一部の光線が前記反射用皺２２に入射すると照明傘１０の内部に反射される。そうすると、照明傘の表面にある前記反射用皺２２と電灯の光線との対比が著しくなり、ひいては前記反射用皺２２で構成された模様が良く表現されるようになる。
【００２０】
また、図６に示すように、反射用皺２２を異なる方向に向かせ、隣接する反射用皺２２の距離を相違にしてもいい。そうすると、外部の光線が前記各反射用皺２２の表面に照射するときに、各反射用皺２２の距離および角度が異なるので、光線が相違の方向と相違の強度とで反射され、一部の反射用皺２２が外部の光線をユーザの目に反射するときには、反射用皺２２の分布によって一定の模様または視覚効果が形成される。
【００２１】
上記の反射用皺２２の形成方式は、図７に示すように、素材を用意するステップＳ４１と、コーティング層を形成するステップＳ４３と、反射用皺を形成するステップＳ４５と、を含む。
【００２２】
図８に示すように、素材を用意するステップＳ４１は、主に、光線を透過可能な材料を底層１２とし、前記底層１２は、主に樹脂材料を採用する。なお、コーティング層を形成するステップＳ４３は、主に、ＰＶＤ、ＣＶＤ、スパッタリングやメッキなど方式によって金属材料１３を前記底層１２の表面にコーティングする。前記金属材料１３のコーティングの厚さは前記底層１２よりも遥かに薄い。
【００２３】
また、図９に示すように、反射用皺を形成するステップＳ４５は、予定の模様を持つ刃具１４を前記コーティング層に押付けることにより、前記コーティング層に複数の反射用皺２２と複数の溝３０とが形成され、前記溝３０の底面は前記底層１２の表面よりも深い。
【００２４】
上記のステップにおいて、前記複数の溝３０の形成密度は１ｍｍごとに５本〜８本を有し、なお、前記溝３０の深さは０．０１〜０．０５ｍｍである。なお、反射用皺を形成する方法は、ローリング加工でもいいし、プレス加工でもいい。
【００２５】
上記の反射用皺を形成する方法によれば、反射用皺２２と溝３０とを快速で精確に形成可能であり、これにより、本考案の照明傘１０は、図６に示すような視覚効果を表現することができる。
【図面の簡単な説明】
【００２６】
【図１】本考案の照明傘の外観図である。
【図２】本考案の照明傘の一部の構造を示す概略図である。
【図３】本考案の溝の構造を示す概略図である。
【図４】本考案の溝の構造を示す概略図である。
【図５】本考案の溝の構造を示す概略図である。
【図６】本考案の反射用細い皺様にて外部の光線を反射する状態の概略図である。
【図７】本考案の反射用細い皺様を作製するプロセスのフローチャートである。
【図８】本考案の底層にメッキ層を結合した状態の概略図である。
【図９】本考案の反射用細い皺様と溝とを形成する方法を示す概略図である。
【符号の説明】
【００２７】
１０      照明傘
１２      底層
１３      金属材料
１４      刃具
２０      光反射構造
２２      反射用皺
３０      溝
３２      第一側
３４      第二側
Ｓ４１    素材を用意するステップ
Ｓ４３    コーティング層を形成するステップ
Ｓ４５    反射用皺を形成するステップ
【図１】
0003137210.tif 000003
【図２】
0003137210.tif 000004
【図３】
0003137210.tif 000005
【図４】
0003137210.tif 000006
【図５】
0003137210.tif 000007
【図６】
0003137210.tif 000008
【図７】
0003137210.tif 000009
【図８】
0003137210.tif 000010
【図９】
0003137210.tif 000011